(57)【要約】［課題］古い包丁類は自然に錆等が発生する事が多い。それで手軽に錆等の防止が可能な収納ケースを作るのが目的である。［解決手段］収納ケースの素材に錆、黒ずみ変化に防止効果あるアルミニウム類を使用する事で、錆等の発生が防止可能となった。【選択図】図１
2004188135.tif 000002
【特許請求の範囲】
【請求項１】
包丁の刃体よりも大きくかつそれとほぼ等しい大きさを有する包丁類の収納ケース。
【請求項２】
包丁類の収納ケースの素材に錆防止効果あるアルミニウムを使用する請求項１の収納ケース。
【発明の詳細な説明】
【０００１】
［発明の属する技術分野］
この発明は包丁類の収納ケースの素材に錆防止効果あるアルミニウムを使用する事に関するものである。
【０００２】
又、包丁の刃体の錆に防止効果ある包丁類の収納ケースに関するものである。
【０００３】
［従来の技術］
従来の包丁類の錆、黒ずみ変化等の防止に関しては油塗布、通気、乾燥、殺菌等に重点がおかれ、収納方法や場所に注意を要する事が多かった。
【０００４】
従って、一般の台所等では油塗布は面倒で水分をふき取る程度で、包丁の刃体はむき出しのまま引き出しや包丁立てに収納される事が多く、放置状態が続くと自然に錆等が発生し、衛生や安全面からも問題が生じた。
【０００５】
特に幼児等にとっては手に触れる危険性もあり、注意を要する事が多かった。
【０００６】
［発明が解決しようとする課題］
本案はその欠点をなくすために包丁の刃体の錆防止が可能で、衛生的で安全な包丁類の収納ケースを提供する事にある。
【０００７】
又、本案はこのような錆の防止効果を高め、簡単な構造と製造容易な包丁類の収納ケースを提供する事にある。
【０００８】
［課題を解決するための手段］
そしてこのような課題を解決するために本案の特長とするところは、包丁類の収納ケースの素材にアルミニウムを使用する事で、その性質を利用する事にある。
【０００９】
つまり、アルミニウムは空気に触れると酸化皮膜を生成する性質がある。この酸化皮膜が包丁の刃体を包み込み、内部に酸素侵入を防ぎ、錆防止に効果ある。
【００１０】
［発明の実施の形態］
これを図面にて説明すると本案は包丁（１）の刃体（２）よりも大きくかつほぼ等しい大きさの側体（５）を有し、包丁（１）の刃体（２）の厚さに対応しながら、両側から挟み込むようなもしくは覆い被せるようにしたような側体（５）を有する包丁類の収納ケース（６）である。
【００１１】
又、包丁（１）の刃体（２）の出入口（７）は包丁類の収納ケース（６）に有する側体（５）の周辺に開放されている。
【００１２】
さらに包丁（１）の使用時は包丁類の収納ケース（６）を取り外す事で、包丁（１）の刃体（２）としての機能を保持でき、包丁（１）の収納時は安全、衛生面においても洗浄可能であり、錆防止にも効果がある。
【００１３】
本案を実施するため，アルミ缶を切断開放してアルミシートの作成をした。
【００１４】
さらにアルミシートに無数の穴をあけたり、切り込みをいれたり、エンボス加工，開口部の設置、ペンキ塗装、ビニールシート装着等種々の加工を実施した。
【００１５】
そして、前述のアルミシートに研磨した包丁類を刃体の厚さに対応しながら、両側から挟み込むようなもしくは覆いかぶせるようにしたようなものに収納した。
【００１６】
さらにアルミシートに収納した包丁類と収納しない包丁類を湿気過多の浴室で数週間、放置状態に置き、錆の発生状況の調査を進めた。
【００１７】
この結果、アルミシートで収納した包丁類には錆の発生がほぼない事に注目した。
【００１８】
以上、本案の実施例について述べてきたが、このような具体的な実例のみに限定されない。
【００１９】
例えば、本案は包丁（１）の刃体（２）よりも大きくかつそれとほぼ等しい大きさを有する包丁類の収納ケース（６）に限定されない。
【００１９】
本案は錆の防止のみに限定されず、黒ずみ変化、衛生、安全、利便性、リサイクル性等種々の効果が可能である。
【００２０】
本案は包丁類の収納ケース（６）に限定されず、保管，包装等の収納ケースとして多目的に使用が可能である。
【００２１】
本案は包丁（１）の刃体（２）もしくは刃先（３）のみの収納に限定されない。
【００２２】
さらに本案は包丁（１）の刃体（２）の厚さに対応しながら両側から挟み込むようなもしくは覆い被せるようにしたようなものの収納ケース（６）に限定されず、例えば箱、スタンド式もしくは袋状、軟質アルミシートで包んだりくるみ込む等種々の収納方法が可能となる。
【００２３】
本案のアルミ素材もしくは錆防止素材を粉末、顆粒、粒もしくはジェル状、ファイバー状（繊維）、線状等に小さく分散したり、細くしたり、軟質性、流動性を高める事で、種々の収納具に移動が可能となる。
【００２４】
従って、不特定な形態、形状のものであっても包装、埋没、埋め込み、差込、巻き込み等の種々の収納方法が可能となる。
【００２５】
本案は加工容易な素材なので、種々のデザイン、形態、形状等が可能である。
【００２６】
又、本案の素材としてアルミニウムのみに限定されず、アルミニウムを含む全ての合金、鋳物、アルミ表面加工品類を含め、銅等の金属類、竹炭、備長炭類等錆、黒ずみ変化防止、殺菌、抗菌、除菌、除湿、乾燥等に効果ある全ての素材が使用可能となる。
【００２７】
本案の素材に無数の穴をあけたり、切り込みを入れたり、エンボス加工、開口部の設置等をする事により通気性、乾燥、衛生面等が高まり、錆防止等が可能となる。
【００２７】
本案の素材に彫金加工もしくは装飾性物品を装着、接着、設置する事で、芸術性、フアッション性の向上が可能となる。
【００２８】
本案には種々の素材例えば、ビニール、ポリプロピレン、ポリエチレン、ゴム類、シリコン等の合成樹脂類、化学繊維、動植物繊維、金属類、竹炭、備長炭類塗料、装飾性物品等の装着、接合、接着、設置、混合、混紡、塗布する事等が可能で錆防止もかね、素材感、質感等を高め形、色、デザイン等に効果が高まる。
【００２９】
本案にて記述された包丁類の収納ケース（６）の種々の加工素材や収納方法は本案のみに限定されず、種々の目的での使用が可能である。
【００３０】
本案は包丁類の収納に限定されず、刃物類も含め、土木、造園、漁業、森林、農業、酪農、工業、医療、化学、美容、車両、運送、建築、航空、建造物、建設調理、洋裁、健康、スポーツ、美術、娯楽、趣味、狩猟、工作機械、鉄スクラップ等、全ての業界での錆防止を必要とするものとしないもの全般にわたって収納可能となる。
【００３１】
本案の包丁（１）の刃体（２）の出入口（７）は，収納ケース（６）に有する側体（５）の周辺に限定されずその態様は種々考えられる。
【００３２】
本案に砥石等種々の素材を装着、接合、設置する事で、錆防止とは別の種々の機能性をもたせる事が可能で利便性がより高まる。
【００３３】
本案の安全性のため、ピン、ナット類、フック具、施錠式具等が刃体（２）の脱落防止止め具として、本案の収納ケース（６）のみもしくは包丁（１）の持ち手（４）と収納ケース（６）に取り付け、設置、装着が種々の方法で可能となる。
【００３４】
本案は台所等種々の場所又は一般の用品、用具等に備品として種々の装着、設置等が可能となる。
【００３５】
本案は単品の包丁類の収納ケースとしての使用に限定されず、複数の連結使用する事で、複数の包丁類の収納、管理、保管等が可能となる。
【００３６】
本案の収納面積、容量等を拡大する事で、複数の包丁類の収納、管理、保管等が可能となる。
【００３７】
さらに、本案に吸盤、フック具、ボンド類、マグネット、磁石等を装着、設置する事で種々の場所に移動が可能となる。
【００３８】
本案には種々の文字、記号、数字、絵、写真等が印刷可能なので、広告、宣伝、販売促進用品としても可能がある。
【００３９】
本案は当業者の知識に基き、種々の改良、修正、変更等を加えた態様において実施されるものであり、又、そのような実施態様が本案の趣旨からそれないかぎり、何れも本案の範囲内に含まれる。
［発明の効果］
【００４０】
本案は包丁類を収納するだけで錆防止が可能で手軽に管理ができる。さらに包丁類が長持ちし経済的である。
【００４１】
本案は廃品となってもリサイクル可能で環境によい。
【００４２】
本案の素材は種々の加工等により、種々の収納方法、形態、形状、デザイン、色、素材もしくは質感の向上を高め、フアッション性や利便性に効果がある。
【図面の簡単な説明】
【図１】発明の代表図
【図２】発明の斜視図
【図３】発明の断面図
【符号の説明】
（１）包丁
（２）刃体
（３）刃先
（４）持ち手
（５）側体
（６）収納ケース
（７）出入口
【図１】
2004188135.tif 000003
【図２】
2004188135.tif 000004
【図３】
2004188135.tif 000005